(57)【要約】【課題】残像を防ぐのに充分な制御電極と画素電極間の電圧差を確保する。【解決手段】画素３０２の制御電極と画素電極との間に設定される電圧差ΔＶが液晶分子の回位を抑えるのに必要な最小電圧差ΔＶｍｉｎ（Ｌｎ，ｍ）よりも大きくなるように、画素３０２のグレーレベルＬｎ，ｍか、少なくとも一つの隣接した画素のグレーレベルＬｎ−１，ｍ−１、Ｌｎ−１，ｍか、または、その双方が調整される。電圧差ΔＶは、少なくとも１つの隣接した画素のグレーレベルに依存し、画素３０２のグレーレベルが大きくなるほど必要な最小電圧差ΔＶｍｉｎ（Ｌｎ，ｍ）が大きくなる。グレーレベルが調整された後、制御電極と画素電極の各々に電圧差ΔＶに応じた電位が設定される。【選択図】図４
2008064956.tif 000002
【特許請求の範囲】
【請求項１】
液晶分子の回位を解消する方法であって、
画素の制御電極と画素電極間に設定される電圧差が回位を抑えるのに必要な最小電圧差よりも大きくなるように、前記画素か、該画素に隣接する少なくとも一つの隣接した画素か、または、その双方のグレーレベルを調整することであって、前記電圧差は、前記少なくとも一つの隣接した画素のグレーレベルに依存し、前記画素のグレーレベルが大きくなるほど前記必要な最小電圧差が大きくなる、前記グレーレベルを調整すること、
前記制御電極と前記画素電極の各々に前記電圧差に応じた電位を設定することであって、前記画素の極性が正極の時、前記制御電極の電位を前記画素電極の電位よりも高く設定し、前記画素の極性が負極の時、前記制御電極の電位を前記画素電極の電位よりも低く設定する、前記電位を設定すること、
を備える、方法。
【請求項２】
請求項１に記載の方法は更に、
前記画素のグレーレベルを表示するように前記画素電極の電位を再設定することであって、前記制御電極の電位は、前記電圧差が保持されるように前記画素電極の電位と同時に変化する、前記画素電極の電位を再設定することを備える、方法。
【請求項３】
請求項１又は２に記載の方法において、
前記グレーレベルを調整することは、前記画素のグレーレベルを減少させることを含む、方法。
【請求項４】
請求項１乃至３の何れか一項に記載の方法において、
前記電圧差は、前記少なくとも一つの隣接した画素のグレーレベルに伴って増加する、方法。
【請求項５】
請求項１乃至４の何れか一項に記載の方法において、
前記グレーレベルを調整することは、前記少なくとも一つの隣接した画素のグレーレベルを増加させることを含む、方法。
【請求項６】
液晶分子の回位を解消する方法であって、
画素のグレーレベルと該画素に隣接する少なくとも一つの隣接した画素のグレーレベルとの差が最大グレーレベル差よりも大きくならないように、前記画素か、前記少なくとも一つの隣接した画素か、または、その双方のグレーレベルを調整すること、
前記画素の制御電極と画素電極間に、前記少なくとも一つの隣接した画素のグレーレベルに伴って増加する電圧差を発生させることであって、前記画素の極性が正極の時、前記制御電極の電位が前記画素電極の電位よりも高くなるように設定され、前記画素の極性が負極の時、前記制御電極の電位が前記画素電極の電位よりも低くなるように設定される、前記電圧差を発生させること、を備え、
前記最大グレーレベル差は、前記液晶分子の回位を防止するように前記ＬＣＤパネルの特性と前記電圧差を発生させる方法とによって決定される、方法。
【請求項７】
請求項６に記載の方法は更に、
前記画素のグレーレベルを表示するように前記画素電極の電位を再設定することであって、前記制御電極の電位は、前記電圧差が保持されるように前記画素電極の電位と同時に変化する、前記画素電極の電位を再設定することを備える、方法。
【請求項８】
請求項６又は７に記載の方法において、
前記グレーレベルを調整することは、前記画素のグレーレベルを減少させることを含む
、方法。
【請求項９】
請求項６乃至８の何れか一項に記載の方法において、
前記グレーレベルを調整することは、前記少なくとも一つの隣接した画素のグレーレベルを増加させることを含む、方法。
【発明の詳細な説明】
【技術分野】
【０００１】
本発明は、液晶ディスプレイに関し、特に、液晶分子の回位（ｄｉｓｃｌｉｎａｔｉｏｎ）を解消する方法に関するものである。
【背景技術】
【０００２】
図１は、ＢＢＶＡ（ｂｉａｓ−ｂｅｎｄｉｎｇ  ｖｅｒｔｉｃａｌ  Ａｌｉｇｎｍｅｎｔ）型製造のＬＣＤパネルの断面図である。図１には、１つの画素１０のみが表されている。ＬＣＤパネルは、カラーフィルター１１、液晶層１２及びアクティブマトリクス基板１３を含む。カラーフィルター１１とアクティブマトリクス基板１３は、透明基板１１１と１３１をそれぞれ有する。画素１０は、共通電極１１２、画素電極１３４及び制御電極１３３を含む。絶縁層１３２は、画素電極１３４と制御電極１３３の間に配置される。図３Ｂに示すＶＰ、ＶＣＥ及びＶｃｏｍは、画素電極１３４、制御電極１３３及び共通電極１１２の電位をそれぞれ表している。画素１０の極性は、ＶＰがＶｃｏｍより大きい時、正極である。画素１０の極性は、ＶＰがＶｃｏｍより小さい時、負極である。ＶＰとＶｃｏｍとの間の差、｜ＶＰ−Ｖｃｏｍ｜は、画素１０のグレーレベルによって決まる。Ｖｃｏｍは、一定である。画素１０では、液晶分子１２１の回転は、制御電極１３３、画素電極１３４及び共通電極１１２によって発生された電場によって制御される。液晶分子１２１が逆に回転するのを防ぐために、ＶＣＥは、以下の必要条件を満たさなければならない。第１に、画素１０の極性が正極の場合、ＶＣＥはＶＰより大きくなる。第２に、画素１０の極性が負極の場合、ＶＣＥはＶＰより小さくなる。第３に、制御電極１３３と画素電極１３４間に必要な電圧差は、画素１０のグレーレベルによって決まる。グレーレベルが大きくなれば、必要なΔＶが大きくなり、ΔＶ≡｜ＶＣＥ−ＶＰ｜となる。
【０００３】
仮に上記の必要条件が満たない場合、液晶分子１２１は、図１の領域Ｂに示すように反転する。よって、光の透過が減少する。反転する液晶分子の状態は、回位と称され、回位は、低い透過率、長いレスポンスタイム及び液晶層の不安定性を招く。
【０００４】
図１のＬＣＤパネルに基づいた各種のＬＣＤパネルが特許文献１に記載されている。この特許文献１の実施例は、前述の第１と第２の必要条件を満たすが、第３の必要条件を満たさない。制御電極と画素電極間の電圧差は、画素に隣接したいくつかの画素によって決まる。画素そのもののグレーレベルは、無関係である。
【０００５】
図２は、特許文献１のＬＣＤパネルの実施例のいくつかの画素を表している。画素２０２の制御電極と画素電極間の電圧差は、２つの隣接した画素２０４と２０６のグレーレベルによって決まる。ΔＶ≡｜ＶＣＥ−ＶＰ｜＝｜Ｖ１−Ｖ２｜のＶ１は、隣接した画素２０４の画素電極の電位であり、Ｖ２は、隣接した画素２０６の画素電極の電位である。図２に示すように、隣接した画素２０４と２０６の両方は、低グレーレベル値を有するが、画素２０２は、高グレーレベル値を有し、画素２０２は、低グレーレベル値から高グレーレベル値に突然変化する。隣接した画素２０４と２０６のグレーレベルが低いことから、Ｖ１とＶ２の両方は、Ｖｃｏｍに近く、｜Ｖ１−Ｖ２｜は、非常に小さい。画素２０２は、前述の第３必要条件を満たし、回位を防ぐために大きなΔＶを必要とする。｜Ｖ１−Ｖ２｜にほぼ等しい実際のΔＶは、画素２０２の液晶分子をすぐに回転させるには小さ過ぎる。よって、回位が領域２０８で生じ、バックライトが領域２０８の液晶層に完全に透過することができない。領域２０８を領域２１０と比べた時、領域２０８で見られるパターンは、領域２１０で見られるパターンよりシャープさに欠ける。領域２１０は、適切に制御された液晶分子のパターンを表し、領域２０８は、不適切に制御された液晶分子のパターンを表す。領域２０８の回位は、残像を招く。
【特許文献１】米国特許出願公開第２００５／００８３２７９号明細書
【発明の開示】
【発明が解決しようとする課題】
【０００６】
本発明の主な課題は、図２の領域２０８に示す残像を防ぐのに充分な制御電極と画素電極間の電圧差を確保することである。本発明は、前述の３つの必要条件を同時に満たし、液晶分子の回位を解消する新しい方法を提供する。
【課題を解決するための手段】
【０００７】
本発明では、画素の制御電極と画素電極間に設定される電圧差は、少なくとも１つの隣接した画素のグレーレベルによって決定される。この電圧差は、液晶分子の回位を抑えるために必要な最小電圧差よりも大きくなるように保持されなければならない。画素のグレーレベルが大きければ、必要な最小電圧差が大きくなる。本発明の一つの方法は、電圧差が最小電圧差よりも大きくなるように、画素か、少なくとも一つの隣接した画素か、または、その双方のグレーレベルを調整することを含む。グレーレベルを調整した後、電圧差に応じた電位が制御電極と画素電極の各々に設定される。制御電極の電位は、画素の極性が正極の時、画素電極の電位よりも高く設定される。制御電極の電位は、画素の極性が負極の時、画素電極の電位よりも低く設定される。制御電極と画素電極の各々の電位が設定された後、画素電極の電位は、画素のグレーレベルを表示するように再設定される。このとき、制御電極の電位は画素電極の電位と同時に変わり、制御電極と画素電極間の電圧差は保持される。
【０００８】
本発明の他の方法では、画素と少なくとも一つの隣接した画素間の最大グレーレベル差が先ず決められる。最大グレーレベル差は、ＬＣＤパネルの特性と駆動方法によって決定される。画素の制御電極と画素電極間に設定される電圧差は、少なくとも一つの隣接した画素のグレーレベルに依存する。少なくとも一つの隣接した画素のグレーレベルが低い時、制御電極と画素電極間に設定される電圧差は低い。仮に、画素のグレーレベルと少なくとも一つの隣接した画素のグレーレベルとの差が最大グレーレベル差よりも大きい場合、当該少なくとも一つの隣接した画素のグレーレベルによって発生された電圧差は、回位を防ぐには小さ過ぎる。画素を駆動する前に、本発明は、画素か、少なくとも一つの隣接した画素か、または、その双方のグレーレベルを調整し、画素のグレーレベルと少なくとも一つの隣接した画素のグレーレベルとの差が最大グレーレベル差よりも大きくならないようにする。
【発明の効果】
【０００９】
本発明の液晶分子の回位を解消する方法によれば、画像のグレーレベルを調整することによって、前述の３つの必要条件が満たされることを確保し、画素のグレーレベルを変えるだけで優れた画像コントラストを提供することができる。
【発明を実施するための最良の形態】
【００１０】
本発明についての目的、特徴、長所が一層明確に理解されるよう、以下に実施形態を例示し、図面を参照しながら、詳細に説明する。
【００１１】
図３Ａは、本発明の第１実施形態のＬＣＤパネルの等価回路図を表している。なお、第１実施形態の回路は、特許文献１に記載された回路を用いて構成することができる。座標（ｎ，ｍ）の画素３０２を駆動する方法は、図３Ｂに示されている。ＶＤｍ−１とＶＤｍは、データラインＤｍ−１とＤｍに供給されたデータ信号をそれぞれ表している。ＶＧｎ−１とＶＧｎは、スキャンラインＧｎ−１とＧｎに供給されたスキャン信号をそれぞれ表している。図３Ｂの最下の波形は、制御電極３０４と画素電極３０６の電位を表し、それぞれＶＣＥとＶＰの記号で表されている。座標（ｎ−１，ｍ−１）の画素は、第１隣接画素３１２である。座標（ｎ−１，ｍ）の画素は、第２隣接画素３１４である。スキャン信号ＶＧｎの間隙ＴＣＥの間、スキャン信号ＶＧｎ−１とＶＧｎの両方はハイ（ｈｉｇｈ）であり、薄膜トランジスタ３０８と３１０は、オンされる。データ信号ＶＤｍ−１とＶＤｍは、制御電極３０４と画素電極３０６にそれぞれ書き込まれる。この時、ＶＤｍ−１の値は、第１隣接画素３１２のグレーレベルから変換された画素電圧Ｖ（Ｌｎ−１，ｍ−１）であり、ＶＤｍの値は、第２隣接画素３１４のグレーレベルから変換された画素電圧Ｖ（Ｌｎ−１，ｍ）である。図３Ｂの最下の波形に示すように、電圧差ΔＶは、間隙ＴＣＥの端において制御電極３０４と画素電極３０６の間に設定され、ΔＶは、｜Ｖ（Ｌｎ−１，ｍ−１）−Ｖ（Ｌｎ−１，ｍ）｜にほぼ等しい。この時、第１隣接画素３１２の極性が正極で、第２隣接画素３１４の極性が負極であることから、ＶＣＥは、ＶＰより大きく、上述の第１必要条件を満たす（画素３０２の極性が正極の時、ＶＣＥは、ＶＰより大きい）。次の垂直スキャン期間３２０では、第１隣接画素３１２の極性が負極で、第２隣接画素３１４の極性が正極であることから、ＶＣＥは、ＶＰより小さく、上述の第２の必要条件を満たす（画素３０２の極性が負極の時、ＶＣＥは、ＶＰより小さい）。特許文献１が上述の第１と第２必要条件を満たすことが明白である。スキャン信号ＶＧｎの間隙ＴＰの間、スキャン信号ＶＧｎ−１はロー（ｌｏｗ）であり、薄膜トランジスタ３０８は、オフされる。制御電極３０４は、フローティング状態にある。この時、ＶＤｍの値は、画素３０２のグレーレベルから変換された画素電圧Ｖ（Ｌｎ，ｍ）である。Ｖ（Ｌｎ，ｍ）は、画素電極３０６に書き込まれる。図３Ｂの最下の波形に示すように、ＶＣＥは、ＶＰによって変わり、制御電極３０４と画素電極３０６間の電圧差（ΔＶ）を保持する。
【００１２】
図２の領域２０８に示す残像を防ぐのに充分大きな電圧差（ΔＶ）を確保するために、本発明は、ＬＣＤパネルに画像を表示する前にその画像のグレーレベルを調整する。図４は、本発明の第１実施形態のフローチャートを表している。図４に示す方法により、図３Ａと３Ｂに説明されたＬＣＤパネルは、液晶分子の回位を解消する全ての必要条件を満たすことができる。Ｌｎ，ｍは、座標（ｎ，ｍ）の画素のグレーレベルを表し、Ｌｎ−１，ｍ−１及びＬｎ−１，ｍは、座標（ｎ−１，ｍ−１）及び（ｎ−１，ｍ）における隣接する画素のグレーレベルをそれぞれ表している。Ｖ（Ｌｎ，ｍ）、Ｖ（Ｌｎ−１，ｍ−１）及びＶ（Ｌｎ−１，ｍ）は、Ｌｎ，ｍ、Ｌｎ−１，ｍ−１、及びＬｎ−１，ｍにそれぞれ対応する画素電圧である。ΔＶｍｉｎ（Ｌｎ，ｍ）は、回位を抑える制御電極３０４と画素電極３０６間に必要な最小電圧差を表す。ΔＶｍｉｎ（Ｌｎ，ｍ）の値は、Ｌｎ，ｍの増加に伴って増加する。図３Ａと３Ｂに示すように、制御電極３０４と画素電極３０６の間に設定される電圧差は、隣接した画素３１２と３１４のグレーレベルによって決められ、ΔＶ＝｜Ｖ（Ｌｎ−１，ｍ−１）−Ｖ（Ｌｎ−１，ｍ）｜である。
【００１３】
ステップ４０２では、ΔＶが求められ、ΔＶｍｉｎ（Ｌｎ，ｍ）と比較され、ΔＶがΔＶｍｉｎ（Ｌｎ，ｍ）より大きいかどうかが判定される。ステップ４０４に示すように、ΔＶがΔＶｍｉｎ（Ｌｎ，ｍ）より小さい時、Ｌｎ，ｍ、Ｌｎ−１，ｍ−１、またはＬｎ−１，ｍは、調整される。ステップ４０２と４０４は、ΔＶがΔＶｍｉｎ（Ｌｎ，ｍ）より大きくなるまで繰り返される。従って、前述の第３の必要条件が常に満たされることがわかる。ステップ４０６では、図３Ａと３Ｂに示す方法によって、画素３０２が駆動される。グレーレベルを調整するステップは、Ｌｎ，ｍを減少させるか、Ｌｎ−１，ｍ−１またはＬｎ−１，ｍを増加させるか、またはＬｎ，ｍ、Ｌｎ−１，ｍ−１及びＬｎ−１，ｍを同時に変えることで実現することができる。
【００１４】
図５Ａは、本発明の第２実施形態のＬＣＤパネルを表している。なお、第２実施形態の回路は、特許文献１に記載された回路を用いて構成することができる。スキャンラインＧｎ−１に接続された画素の構造は、スキャンラインＧｎに接続された画素の構造に水平に対称を成す。図５Ｂは、そのグレーレベルを表示する画素５０２を駆動する方法を表している。ＶＤｍ−１とＶＤｍは、データラインＤｍ−１とＤｍに供給されたデータ信号をそれぞれ表している。ＶＧｎ−１とＶＧｎは、スキャンラインＧｎ−１とＧｎに供給されたスキャン信号をそれぞれ表している。図５Ｂの最下の波形は、制御電極５０４と画素電極５０６の電位を表し、それぞれＶＣＥとＶＰの記号で表されている。垂直スキャン期間では、各スキャン信号は、間隙ＴＣＥと間隙ＴＰでハイであり、データ信号ＶＤｍ−１は、制御電極５０４に書き込まれ、データ信号ＶＤｍは、画素電極５０６に書き込まれる。この時、画素５０２の極性は正極となり、データ信号ＶＤｍ−１とＶＤｍが正極Ｖｍａｘと負極Ｖｍａｘにそれぞれ与えられ、ＶＣＥがＶＰより大きいことが確保される。スキャン信号ＶＧｎ−１の間隙ＴＰの間、薄膜トランジスタ５１０は、オンされ、隣接した画素５０８の画素電圧Ｖ（Ｌｎ−１，ｍ−１）は、制御電極５０４に書き込まれる。図５Ｂの最下の波形に示すように、スキャン信号ＶＧｎ−１の間隙ＴＰの間のＶＣＥの変化は、ＶＣＥがＶＰより大きいという状態を変えず、且つ、ＶＣＥとＶＰ間の電圧差は、隣接した画素５０８のグレーレベルによって決められ、ΔＶ＝Ｖｍａｘ＋｜Ｖ（Ｌｎ−１，ｍ−１）−Ｖｃｏｍ｜である。スキャン信号ＶＧｎの間隙ＴＰの間、薄膜トランジスタ５１０は、オフされ、薄膜トランジスタ５１２は、オンされる。制御電極５０４は、フローティング状態にある。画素電極５０６は、画素５０２の画素電圧Ｖ（Ｌｎ，ｍ）に設定される。図５Ｂの最下の波形に示すように、制御電極５０４（ＶＣＥ）の電位は、画素電極５０６（ＶＰ）の電位によって変わり、その電圧差（ΔＶ）が保持される。
【００１５】
図６は、本発明の第２実施形態のフローチャートである。図６に示す方法により、図５Ａと５Ｂに説明されたＬＣＤパネルは、前述の全ての３つの必要条件を満たし、液晶分子の回位を解消することができる。Ｌｎ，ｍは、画素５０２のグレーレベルを表し、Ｌｎ−１，ｍ−１は、隣接する画素５０８のグレーレベルを表している。Ｖ（Ｌｎ，ｍ）とＶ（Ｌｎ−１，ｍ−１）は、Ｌｎ，ｍとＬｎ−１，ｍ−１にそれぞれ対応する画素電圧である。ΔＶｍｉｎ（Ｌｎ，ｍ）は、回位を抑えるために制御電極５０４と画素電極５０６の間に必要な最小電圧差を表す。ΔＶｍｉｎ（Ｌｎ，ｍ）の値は、Ｌｎ，ｍの増加に伴って増加する。図５Ａと５Ｂに示すように、制御電極５０４と画素電極５０６間に設定される電圧差は、隣接した画素５０８のグレーレベルによって決められ、ΔＶ＝Ｖｍａｘ＋｜Ｖ（Ｌｎ−１，ｍ−１）−Ｖｃｏｍ｜である。
【００１６】
ステップ６０２では、ΔＶが求められ、ΔＶｍｉｎ（Ｌｎ，ｍ）と比較され、ΔＶがΔＶｍｉｎ（Ｌｎ，ｍ）より大きいかどうかが判定される。ステップ６０４に示すように、ΔＶがΔＶｍｉｎ（Ｌｎ，ｍ）より小さい時、Ｌｎ，ｍ、またはＬｎ−１，ｍ−１は、調整される。ステップ６０２と６０４は、ΔＶがΔＶｍｉｎ（Ｌｎ，ｍ）より大きくなるまで繰り返される。従って、前述の第３の必要条件が常に満たされることがわかる。ステップ６０６では、図５Ａと５Ｂに示す方法によって、画素５０２が駆動される。グレーレベルを調整するステップは、Ｌｎ，ｍを減少させるか、Ｌｎ−１，ｍ−１を増加させるか、またはＬｎ，ｍとＬｎ−１，ｍ−１を同時に変えることによって実現することができる。
【００１７】
図７は、本発明の第３実施形態のフローチャートである。図７に示す方法により、図５Ａに説明されたＬＣＤパネルは、前述の全ての３つの必要条件を満たし、Ｌｎ−１，ｍ−１が小さく、Ｌｎ、ｍが大きい時に頻繁に生じる回位を解消することができる。ΔＬｍａｘは、画素５０２と隣接した画素５０８間の最大グレーレベル差である。ΔＬｍａｘは、ＬＣＤパネルの特性と駆動方法によって決まる。Ｌｎ，ｍ−Ｌｎ−１，ｍ−１がΔＬｍａｘより大きい時、回位が画素５０２の液晶分子で起きる。ΔＬｍａｘは、画素５０２のグレーレベルによって変化し得る。ステップ７０２では、Ｌｎ，ｍがＬｎ−１，ｍ−１と比較される。ステップ７０４で示すように、Ｌｎ，ｍ−Ｌｎ−１，ｍ−１がΔＬｍａｘより大きい時、Ｌｎ，ｍとＬｎ−１，ｍは、調整され、グレーレベルの差が制限される。ステップ７０２と７０４は、Ｌｎ，ｍ−Ｌｎ−１，ｍ−１≦ΔＬｍａｘになるまで繰り返される。従って、前述の第３の必要条件が常に満たされることがわかる。ステップ７０６では、図５Ａと５Ｂに示す方法によって、画素５０２が駆動される。グレーレベルを調整するステップは、Ｌｎ，ｍを減少させるか、Ｌｎ−１，ｍ−１を増加させるか、またはＬｎ，ｍとＬｎ−１，ｍ−１を同時に変えることによって実現することができる。
【００１８】
本発明の各実施形態では、ＬＣＤパネルを駆動して画像を表示する前に各画素のグレーレベルが調整される。ＬＣＤパネルは、特許文献１に記載された実施例、または任意のＬＣＤパネルとすることができる。画像のグレーレベルを調整するステップは、前述の３つの必要条件を確実に満たすように作用する。従って、本発明によれば、画素のグレーレベルを変えるだけで優れた画像コントラストを提供する。
【００１９】
以上、本発明の好適な実施例を例示したが、これは本発明を限定するものではなく、本発明の思想及び範囲を逸脱しない限りにおいては、当業者であれば行い得る任意の変更や変形を付加することが可能である。従って、本発明が保護を請求する範囲は、特許請求の範囲を基準とする。
【図面の簡単な説明】
【００２０】
【図１】従来のＢＢＶＡ（ｂｉａｓ−ｂｅｎｄｉｎｇ  ｖｅｒｔｉｃａｌ  Ａｌｉｇｎｍｅｎｔ）型製造のＬＣＤパネルの断面図である。
【図２】従来の液晶分子の回位がもたらす残像を示す説明図である。
【図３Ａ】本発明の第１実施形態のＬＣＤパネルを示す概略的な回路図である。
【図３Ｂ】図３Ａに示されたＬＣＤパネルの駆動方法を示す概略的な波形図である。
【図４】本発明の第１実施形態の方法を示すフローチャートである。
【図５Ａ】本発明の第２実施形態のＬＣＤパネルを示す概略的な回路図である。
【図５Ｂ】図５Ａに示されたＬＣＤパネルの駆動方法を示す概略的な波形図である。
【図６】本発明の第２実施形態の方法を示すフローチャートである。
【図７】本発明の第３実施形態の方法を示すフローチャートである。
【符号の説明】
【００２１】
３０２，５０２  画素
３１２，３１４，５０８  少なくとも１つの隣接した画素
１２１  液晶分子
３０４、５０４  制御電極
３０６、３０６  画素電極
ＶＰ  画素電極の電位
ＶＣＥ  制御電極の電位
Ｌｎ，ｍ  画素のグレーレベル
Ｌｎ−１，ｍ−１、Ｌｎ−１，ｍ  少なくとも１つの隣接した画素のグレーレベル
ΔＶ  電圧差
ΔＶｍｉｎ（Ｌｎ，ｍ）  最小電圧差
ΔＬｍａｘ  最大グレーレベル差
【図１】
2008064956.tif 000003
【図２】
2008064956.tif 000004
【図３Ａ】
2008064956.tif 000005
【図３Ｂ】
2008064956.tif 000006
【図４】
2008064956.tif 000007
【図５Ａ】
2008064956.tif 000008
【図５Ｂ】
2008064956.tif 000009
【図６】
2008064956.tif 000010
【図７】
2008064956.tif 000011